(57)【要約】      （修正有）【課題】鍵を紛失した場合でも開閉扉を開けることができる収納庫を提供する。【解決手段】収納庫は、開口を有し物品を収容する本体部１０と、開口を覆うように本体部に連結された開閉扉２０と、開閉扉の裏面２２に回転可能に設けられ、係止位置にて本体部に係止する係止部材３２と、鍵穴に挿入された鍵の操作によって裏面から突出する突出位置と後退位置との間で移動可能に設けられ、突出位置に位置する際に係止部材の係止位置から方向Ｃ１への回転を規制する規制軸３６ｂと、開閉扉の前面側に着脱可能に装着されたカバー体から開閉扉を挿通するように設けられ、係止部材の係止位置から方向Ｃ１とは反対の方向Ｃ２への回転を規制する突起部４６とを備える。また、開閉扉の前面側に係止部材と連結して、係止部材を方向Ｃ１と方向Ｃ２へ回転させる操作部を更に備える。【選択図】図３
0003214579.tif 000002
【実用新案登録請求の範囲】
【請求項１】
開口を有し物品を収容する本体部と、
前記開口を覆うように前記本体部に連結された開閉扉と、
前記開閉扉の裏面に回転可能に設けられており、係止位置にて前記本体部に係止する係止部材と、
前記係止部材の前記係止位置から第１方向への回転を規制する規制位置と、前記回転の規制を解除する解除位置との間で移動可能に設けられた第１規制部と、
前記開閉扉の前面側に着脱可能に装着されたカバー部材から前記開閉扉を挿通するように設けられており、前記係止部材の前記係止位置から前記第１方向とは反対の第２方向への回転を規制する第２規制部と、
を備える、収納庫。
【請求項２】
前記開閉扉の前記前面側に前記係止部材と連結するように設けられており、前記係止部材を前記第１方向と前記第２方向へ回転させる操作部を更に備える、
請求項１に記載の収納庫。
【請求項３】
前記開閉扉及び前記カバー部材は、前記係止部材の所定の領域の表面を前記前面側に露出させる開口部を有する、
請求項１又は２に記載の収納庫。
【請求項４】
前記開口部は、
前記係止部材が前記係止位置に位置する際には、前記係止部材の第１色の第１領域の表面を露出させ、
前記係止部材が前記係止位置から所定量回転した位置に位置する際には、前記係止部材の前記第１色と異なる第２色の第２領域の表面を露出させる、
請求項３に記載の収納庫。
【請求項５】
前記係止部材は、
前記第１規制部又は前記第２規制部に接触することで回転が規制される第１板部と、
前記第１板部よりも前記開閉扉の前記裏面に近く位置するように前記第１板部と連結しており、表面が前記開口部を介して前記前面側へ露出する第２板部と、を有する、
請求項３又は４に記載の収納庫。
【請求項６】
前記第１規制部は、鍵の回転操作に応じて前記規制位置と前記解除位置とを切り替えるシリンダー錠である、
請求項１から５のいずれか一項に記載の収納庫。
【考案の詳細な説明】
【技術分野】
【０００１】
本考案は、内部に物品を収容する収納庫に関し、より具体的には、鍵により施錠又は解錠可能な開閉扉を有する収納庫に関する。
【背景技術】
【０００２】
物品を収容する収納庫（例えば、宅配物を収容する宅配ボックス）を屋外に設置するニーズが増大している。収納庫を屋外に設置する場合には、第三者が収納庫内の物品を持ち去ることがないように、開閉扉に錠前が設けられた収納庫が利用されている（特許文献１を参照）。
【先行技術文献】
【特許文献】
【０００３】
【特許文献１】特開２００５−２３２９４０号公報
【考案の概要】
【考案が解決しようとする課題】
【０００４】
錠前が設けられた収納庫では、ユーザが鍵を用いて開閉扉の施錠及び解錠を行う。しかし、開閉扉が施錠された状態で鍵を紛失してしまうと、開閉扉を開けることができなくなってしまう。この場合には、収納庫を破壊しなければ収納庫内の物品を取り出すことができなくなる。
【０００５】
そこで、本考案はこれらの点に鑑みてなされたものであり、鍵を紛失した場合でも開閉扉を開けることができる収納庫を提供することを目的とする。
【課題を解決するための手段】
【０００６】
本考案の一の態様においては、開口を有し物品を収容する本体部と、前記開口を覆うように前記本体部に連結された開閉扉と、前記開閉扉の裏面に回転可能に設けられており、係止位置にて前記本体部に係止する係止部材と、前記係止部材の前記係止位置から第１方向への回転を規制する規制位置と、前記回転の規制を解除する解除位置との間で移動可能に設けられた第１規制部と、前記開閉扉の前面側に着脱可能に装着されたカバー部材から前記開閉扉を挿通するように設けられており、前記係止部材の前記係止位置から前記第１方向とは反対の第２方向への回転を規制する第２規制部と、を備える、収納庫を提供する。
【０００７】
また、前記開閉扉の前記前面側に前記係止部材と連結するように設けられており、前記係止部材を前記第１方向と前記第２方向へ回転させる操作部を更に備えることとしてもよい。
【０００８】
また、前記開閉扉及び前記カバー部材は、前記係止部材の所定の領域の表面を前記前面側に露出させる開口部を有することとしてもよい。
【０００９】
また、前記開口部は、前記係止部材が前記係止位置に位置する際には、前記係止部材の第１色の第１領域の表面を露出させ、前記係止部材が前記係止位置から所定量回転した位置に位置する際には、前記係止部材の前記第１色と異なる第２色の第２領域の表面を露出させることとしてもよい。
【００１０】
また、前記係止部材は、前記第１規制部又は前記第２規制部に接触することで回転が規制される第１板部と、前記第１板部よりも前記開閉扉の前記裏面に近く位置するように前記第１板部と連結しており、表面が前記開口部を介して前記前面側へ露出する第２板部と、を有することとしてもよい。
【００１１】
また、前記第１規制部は、鍵の回転操作に応じて前記規制位置と前記解除位置とを切り替えるシリンダー錠であることとしてもよい。
【考案の効果】
【００１２】
本考案によれば、鍵を紛失した場合でも、収納庫を破壊せずに開閉扉を開けることができるという効果を奏する。
【図面の簡単な説明】
【００１３】
【図１】一の実施形態に係る収納庫１の構成を説明するための模式図である。
【図２】収納庫１の外カバー４２が開いた状態を示す図である。
【図３】係止部材３２が係止位置に位置する際の施錠機構３０を示す図である。
【図４】係止部材３２が第１解除位置に位置する際の施錠機構３０を示す図である。
【図５】カバー体４０が取り外される状態を説明するための模式図である。
【図６】カバー体４０が取り外された後の施錠機構３０の構成を示す図である。
【図７】係止部材３２が第２解除位置に位置する際の施錠機構３０を示す図である。
【考案を実施するための形態】
【００１４】
＜収納庫の構成＞
本考案の一の実施形態に係る収納庫の構成について、図１〜図４を参照しながら説明する。
【００１５】
図１は、一の実施形態に係る収納庫１の構成を説明するための模式図である。図２は、収納庫１の外カバー４２が開いた状態を示す図である。図３は、係止部材３２が係止位置に位置する際の施錠機構３０を示す図である。図４は、係止部材３２が第１解除位置に位置する際の施錠機構３０を示す図である。なお、図３及び図４には、開閉扉２０の裏面２２側を見た際の構成が示されている。
【００１６】
収納庫１は、内部に物品を収納する。例えば、収納庫１は、屋外に設置された宅配ボックスであり、宅配物を一時的に収納する。収納庫１は、図１に示すように、本体部１０と、開閉扉２０と、施錠機構３０と、カバー体４０とを有する。
【００１７】
本体部１０は、箱状に形成されており、内部に物品を収容する収容部を有する。本体部１０の前面側には、物品を収容部に入れたり収容部から取り出したりするための開口が設けられている。
【００１８】
開閉扉２０は、本体部１０の前面側にて本体部１０に開閉可能に連結された扉である。開閉扉２０は、本体部１０の開口を閉塞する閉塞位置（図１）と、本体部１０の開口を開放する開放位置との間で回動する。
【００１９】
施錠機構３０は、閉塞位置（図１）に位置する開閉扉２０が開かないように施錠する機構である。例えば、施錠機構３０は、鍵穴に挿入された鍵を操作することで、開閉扉２０を施錠したり解錠したりできる。施錠機構３０は、図２及び図３に示すように、係止部材３２と、操作部３４と、シリンダー錠３６とを有する。
【００２０】
係止部材３２は、図３に示すように、開閉扉２０の裏面２２に、軸３２ａを中心に回転可能に設けられている。係止部材３２は、回転することで、図３に示す係止位置と図４に示す第１解除位置とに位置する。係止部材３２が係止位置に位置する際には、係止部３２ｂが本体部１０に係止され、係止部材３２が係止位置から第１解除位置に位置する際には、係止部３２ｂの本体部１０への係止状態が解除される。係止部３２ｂが本体部１０に係止されることで、開閉扉２０が施錠されることになる。
【００２１】
係止部材３２は、図３に示すように、第１板部３３ａと第２板部３３ｂを有する。第１板部３３ａは、軸３２ａを中心に回転し、第１板部３３ａの端部に係止部３２ｂが設けられている。第２板部３３ｂは、第１板部３３ａよりも開閉扉２０の裏面２２に近く位置するように第１板部３３ａと連結している。第２板部３３ｂの裏面２２に対向する表面には、それぞれ異なる色が付された複数の領域（表示領域）が形成されている。
【００２２】
操作部３４は、図２に示すように、開閉扉２０の前面２１側に位置している。操作部３４は、係止部材３２を回転させるために、ユーザが操作する摘みである。操作部３４は、係止部材３２の軸３２ａと連結されており、ユーザが操作部３４を回転させることで、係止部材３２も連動して回転する。
【００２３】
シリンダー錠３６は、図２及び図３に示すように、鍵穴３６ａと規制軸３６ｂを有する。鍵穴３６ａは、ユーザが鍵を挿入する穴である。規制軸３６ｂは、鍵穴３６ａに挿入された鍵をユーザが操作することで、軸方向に移動可能である。例えば、規制軸３６ｂは、裏面２２から突出する（具体的には、図３の紙面の手前に突出する）突出位置と、突出位置から裏面２２へ向かって後退する後退位置とに位置する。本実施形態では、突出位置が規制位置に該当し、後退位置が解除位置に該当する。なお、規制軸３６ｂが突出位置（規制位置）と後退位置（解除位置）との間で移動することとしたが、これに限定されない。例えば、規制軸３６ｂが、規制位置と解除位置の間で回転することとしてもよい。
【００２４】
規制軸３６ｂは、突出位置に位置する際に、係止部材３２（具体的には、第１板部３３ａ）に接触することで、係止位置に位置する係止部材３２の方向Ｃ１（図３）への回転を規制する第１規制部として機能する。一方で、規制軸３６ｂが後退位置に位置する際には、係止部材３２に接触しないので、係止位置に位置する係止部材３２が方向Ｃ１へ回転して図４に示す第１解除位置に位置できる。
【００２５】
カバー体４０は、図１に示すように、開閉扉２０の前面２１に着脱可能に装着されたカバー部材である。カバー体４０は、図２及び図３に示すように、外カバー４２と、取っ手４３と、開口部４４と、突起部４６と、締結部４８とを有する。
外カバー４２は、図１に示す閉状態と図２に示す開状態の間で回動可能である。外カバー４２は、閉状態の際に、操作部３４及びシリンダー錠３６を覆っている。また、外カバー４２が開状態の際に、ユーザは、鍵を用いて施錠又は解錠を行うことができる。
【００２６】
取っ手４３は、カバー体４０の端部に設けられており、開閉扉２０を開閉する際にユーザが把持する部分である。開口部４４は、貫通孔を有しており、係止部材３２の第２板部３３ｂ（図３）の表面に形成された表示領域（色が付された領域）を露出させる。例えば、開口部４４は、係止部材３２が係止位置に位置する際に第２板部３３ｂの第１表示領域を露出させ、係止部材３２が第１解除位置に位置する際に第２板部３３ｂの第２表示領域（色が第１表示領域の色と異なる）を露出させる。
【００２７】
突起部４６は、係止部材３２の係止位置から方向Ｃ２（方向Ｃ１の反対方向）への回転を規制する第２規制部として機能する。突起部４６は、開閉扉２０の貫通孔２３（図３）を挿通するように設けられている。締結部４８は、カバー体４０を開閉扉２０に締結している締結部材を有する。締結部材を緩めることで、カバー体４０を開閉扉２０から取り外すことができる。
【００２８】
上述したように、収納庫１においては、鍵をシリンダー錠３６に挿入して操作することで、施錠及び解除が行われる。このため、施錠した後にユーザが鍵を紛失してしまうと、鍵によって解錠を行うことができない。
これに対して、本実施形態では、係止部材３２の方向Ｃ２への回転を規制する突起部４６が設けられたカバー体４０を取り外して、係止部材３２を係止位置から方向Ｃ２へ回転させることで、解錠できるようになっている。これにより、鍵を紛失した場合に、収納庫１を破壊しなくても、解錠することが可能となる。
【００２９】
＜カバー体４０を取り外した後の係止部材３２の回転＞
カバー体４０を取り外した後の係止部材３２の回転について、図５〜図７を参照しながら説明する。ここでは、規制軸３６ｂが突出位置に位置し、係止部材３２が係止位置に位置するものとして説明する。
【００３０】
図５は、カバー体４０が取り外される状態を説明するための模式図である。図６は、カバー体４０が取り外された後の施錠機構３０の構成を示す図である。図７は、係止部材３２が第２解除位置に位置する際の施錠機構３０を示す図である。
【００３１】
ユーザは、締結部４８の締結部材を緩めることで、図５（ａ）に示すように開閉扉２０に装着されたカバー体４０を図５（ｂ）に示す矢印Ｙの方向に取り外すことができる。これにより、操作部３４及びシリンダー錠３６が露出することになる。
【００３２】
カバー体４０を取り外すことで、図６に示すように、カバー体４０の突起部４６も存在しなくなる。これにより、係止部材３２の係止位置から方向Ｃ２への規制が解除される。一方で、規制軸３６ｂが突出位置に位置しているので、係止部材３２は係止位置から方向Ｃ１へ回転できない。
【００３３】
ユーザが、係止部材３２を方向Ｃ２へ回転するように操作部３４を操作することで、係止部材３２は図７に示す第２解除位置に位置する。第２解除位置は、係止部材３２の係止部３２ｂの本体部１０への係止状態が解除される位置である（すなわち、開閉扉２０が解除される位置である）。これにより、ユーザは、開閉扉２０を開いて、内部の物品を取り出すことができる。
【００３４】
＜本実施形態における効果＞
上述した収納庫１においては、鍵の操作によって突出位置に位置して係止部材３２の係止位置から方向Ｃ１への回転を規制する規制軸３６ｂに加えて、係止部材３２の係止位置から方向Ｃ２への回転を規制する突起部４６が設けられたカバー体４０が、開閉扉２０に着脱可能に装着されている。
これにより、係止部材３２が係止位置に位置した状態（施錠された状態）で鍵を紛失しても、カバー体４０を取り外すことで、係止部材３２を方向Ｃ２へ回転させて係止状態を解除できる。この結果、鍵を紛失しても収納庫１を破壊することなく施錠状態を解除することができる。
【００３５】
以上、本考案を実施の形態を用いて説明したが、本考案の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本考案の実施の形態に含まれる。組み合わせによって生じる新たな実施の形態の効果は、もとの実施の形態の効果を合わせ持つ。
【符号の説明】
【００３６】
１    収納庫
１０    本体部
２０    開閉扉
２１    前面
２２    裏面
３２    係止部材
３３ａ    第１板部
３３ｂ    第２板部
３４    操作部
３６ｂ    規制軸
４０    カバー体
４４    開口部
４６    突起部
【図１】
0003214579.tif 000003
【図２】
0003214579.tif 000004
【図３】
0003214579.tif 000005
【図４】
0003214579.tif 000006
【図５】
0003214579.tif 000007
【図６】
0003214579.tif 000008
【図７】
0003214579.tif 000009